(57)【特許請求の範囲】
【請求項１】
各種フィルターレンズを内蔵して保持するフィルター枠１を形成するフィルター外周枠２、該フィルター外周枠２の内側内径部７に設けられたフィルターレンズ押さえ縁９とレンズ押さえネジリング５、該フィルター押さえ縁９とレンズ押さえネジリング５間にて加圧保持されるフィルターレンズ３、該フィルターレンズ３の外縁部に装着され外側より加熱されて塑性変形が可能である断面形状がコの字形状の熱可塑性のエラストマーからなる成形部材４、該熱可塑性のエラストマーからなる成形部材４を介して前記フィルターレンズ３をフィルターレンズ押さえ縁９とレンズ押さえネジリング５間に加圧挟持する構成を有し、前記フィルターレンズ３の外縁部に装着された熱可塑性のエラストマーからなる成形部材４をフィルター外周枠２の外側より加熱して塑性変形させることを特徴とするデジタルカメラにおけるフィルター枠の防水機構。
【請求項２】
前記フィルターレンズ３の外縁部に装着される熱可塑性のエラストマーからなる成形部材４は断面形状がコの字形状に成形された成形部材で、該熱可塑性のエラストマーからなる成形部材４の外周部で前記フィルター押さえ縁９とレンズ押さえネジリング５の対向面には断面半円形、或いは凸部形状の突起部１８ａ、１８ｂ、１８ｃを複数本成形加工しており、該熱可塑性のエラストマーからなる成形部材４の外周部に設けられた断面半円形、或いは凸部形状の突起部１８ａ、１８ｂ、１８ｃが外部からの加圧並びに加熱により容易に塑性変形可能に構成したことを特徴とする請求項１に記載されたデジタルカメラにおけるフィルターの防水機構。
【請求項３】
前記フィルター外周枠２の外部側にはフィルターレンズ３の外縁部に設けられ熱可塑性のエラストマーからなる成形部材４を加熱し、該熱可塑性のエラストマーからなる成形部材４を塑性可変するための熱可塑性のエラストマー加熱用凹部溝１３が刻設されており、該熱可塑性のエラストマー加熱用凹部溝１３を介してヒーターを取り付けることによりフィルターレンズ押さえ縁９上に載置されフィルターレンズ押さえネジリング５で加圧される熱可塑性のエラストマーからなる成形部材４を加熱可能にしたことを特徴とする請求項１及び請求項２に記載されたデジタルカメラにおけるフィルター枠の防水機構。
【請求項４】
前記フィルター外周枠２の外部側に設けられる熱可塑性のエラストマー加熱用凹部溝１３はカラー色のリングや品番やメーカー名、或いは機能識別符号を刻設したリング部材１９を嵌着する外周溝としても使用することを特徴とする請求項１乃至請求項３に記載されたデジタルカメラにおけるフィルター枠の防水機構。
【請求項５】
前記フィルター外周枠２において、カメラレンズ鏡筒先端部１４にフィルター外周枠２を螺着するための雄ネジ部１１分の防水機構はカメラレンズ鏡筒先端部１４にフィルター外周枠２を螺着して、該カメラレンズ鏡筒先端部１４が当接するフィルター外周枠縁部２０に円型の取付溝１５を刻設し、該円型の取付溝１５内に熱可塑性のエラストマーからなる成形部材のシール１６を嵌合して防水シール機構としたことを特徴とする請求項１乃至請求項４に記載されたフィルター枠の防水機構。
【発明の詳細な説明】
【技術分野】
【０００１】
本発明は、デジタル１眼レフカメラに対応できるフィルター枠の防水機構に関するものであり、特に、本発明は、レンズ保護用のフィルターや光量調整フィルター、並びに特殊効果をもたらす光条効果用フィルターや被写体を柔らかく表現できるソフトフォーカス用フィルター等、各種デジタルカメラ用フィルターにおけるフィルター枠の防水機構に関するものである。
【背景技術】
【０００２】
最近、デジタル１眼レフカメラ用のフィルターにおいては、レンズ保護用のフィルター、光量調整フィルターと、特殊効果をもたらす光条効果用フィルター並びに被写体を柔らかく表現できるソフトフォーカス用フィルター等、利用価値の大きなデジタルカメラ用のフィルターが提供されてきている。
【０００３】
斯くして、上述した各種フィルターを保持するためのフィルター枠は、従来、各種のフィルターをデジタルカメラのレンズ鏡筒前面に嵌着できる機能と、各種フィルターをフィルター枠内に保持できる機能を有していれば充分とされてきた。
【０００４】
然しながら、デジタル１眼レフカメラのレンズは、複合レンズを採用しており、外気からの湿気や水分に対しては充分に注意しなくてはならない多重レンズ構造を有しており、また、該複合レンズに連繋して画像を電気信号に変換するCCDイメージセンサ等においても、湿気や水分に対しては充分すぎるほどの注意が必要である。
【０００５】
本発明は、各種フィルターを保持するフィルター枠に防水機構を施し、該フィルター枠からなるフィルターをレンズ鏡筒前に装着することによりレンズ鏡筒内部を外部からの湿気や水滴（水分）より保護するフィルター枠の防水機構に関するものである。
【０００６】
図３（A）、（B）、（C）は、従来のデジタルカメラ用フィルター枠の構造を説明するものであり、図３（A）はフィルターの組み立て図を示し、図３（B）は図（A）の組み立て完了状態を説明する一部断面図で、図３（C）は図３（B）のフィルター枠の外周枠を説明する要部拡大図である。
【０００７】
従来のフィルター枠を説明する図３（A）、（B）、（C）において、５０はフィルター枠、５１はフィルター枠５０が形成するフィルター外周枠、５２はフィルターレンズ、５３はレンズ押さえバネ、５４はレンズ嵌着部、５５はレンズ押さえ縁部であり、前記フィルター外周枠５１の入射光側５６の内側内径部５７には、他のアタッチメントを螺着するための雌ネジ５８が螺設されており、また、フィルター外周枠５１のカメラレンズ側５９には、カメラレンズ鏡筒前面（図示せず）にフィルター外周枠５１を螺着するための雄ネジ６０が螺設されていて雄ネジ外筒部６１を形成している。
【０００８】
従来例のフィルター枠５０は、図３（Ａ）の如くフィルター外周枠５１とフィルターレンズ５２、並びにレンズ押さえバネ５３の部品から構成されており、前記フィルター外周枠５１内のレンズ押さえ縁部５５の内側にフィルターレンズ５２を嵌合して、該フィルターレンズ５２を押さえバネ５３にて固着することによりフィルター枠５０を図３（Ｂ）の如く組み立て、製作している。
【０００９】
而して、図３（Ｂ）の如く組み立て製作されたフィルター枠５０は、該フィルター外周枠５１を拡大した図３（Ｃ）に示したように、フィルターレンズ５２をフィルタータ外周枠５１内に予め設けられたレンズ押さえ縁５５とレンズ押さえバネ５３にて挟持してフィルター外周枠５１内に固着しており、精密部品の組み合わせ製品とはいえ全く防水機構を組み込んでおらず、また、当該部分に防水機能を意識的に採用している従来製品は皆無であった。
【００１０】
そして、カメラレンズ鏡筒前面（図示ぜず）に装着するフィルターにおいては、前記フィルターレンズ５２部分の防水機構と、カメラレンズ鏡筒部分とフィルター枠の装着部分、即ち、カメラレンズ鏡筒前面にフィルター外周枠５１を螺着するための雄ネジ６０部分の防水機構も重要となるが、当該部分に関する防水機構に関しても従来製品は、全く関心を示していない。
【発明の概要】
【発明が解決しようとする課題】
【００１１】
而して、本発明が解決しようとする課題は、最近のデジタル１眼レフカメラに用いられる各種フィルターをカメラレンズ鏡筒前面装着することにより、カメラレンズ鏡筒内の防水機能を高めることのできるフィルター枠の防水機構を提供して、湿気や水滴（水分）からカメラレンズの複合レンズ部や、ＣＣＤイメージセンサを保護するものである。
【課題を解決するための手段】
【００１２】
本発明は、フィルター外周枠とフィルターレンズ、並びにレンズ押さえネジリングからなる部品を組立てフィルターを製作するにあたり、前記フィルターレンズの外縁部には熱可塑性のエラストマーからなる成形部材を装着し、該熱可塑性のエラストマーからなる成形部材付フィルターレンズをフィルター外周枠のレンズ押さえ縁上に載置して当該部分を加熱しながらレンズ押さえネジリングで前記熱可塑性のエラストマーからなる成形部材を塑性変形させ、該熱可塑性のエラストマーからなる成形部材を介してフィルターレンズをレンズ押さえ縁とレンズ押さえネジリング間に固着するデジタルカメラにおけるフィルター枠の防水機構を提供するものである。
【００１３】
本発明において、前記フィルターレンズの外縁部に設けられる熱可塑性のエラストマーからなる成形部材は、フィルターレンズの外縁部に篏合可能なコの字形状に成形された成形部材となし、該成形部材の外周部には断面半円形、或いは凸部形状の突起部を複数本成形加工したものを使用することにより、該突起部が外部から加圧並びに加熱された際に容易に塑性変形可能に構成したデジタルカメラにおけるフィルター枠の防水機構を提供するものである。
【００１４】
また、本発明における前記フィルター外周枠の外部側には、フィルターレンズの外縁部に設けられ熱可塑性のエラストマーからなる成形部材を加熱し、該成形部材を塑性可変するための加熱用凹部溝が刻設されており、該加熱用凹部溝にヒーターを取り付けることによりレンズ押さえ縁上に載置されレンズ押さえネジリングで加圧される熱可塑性のエラストマーからなる成形部材を任意に加熱加工可能に構成したにしデジタルカメラにおけるフィルター枠の防水機構を提供するものである。
【００１５】
更に、本発明において、前記フィルター外周枠の外部側に設けられる熱可塑性のエラストマー加熱用凹部溝は、フィルター枠の製作完了後、該加熱用凹部溝にカラー色のリングや品番やメーカー名、或いは機能識別符号を刻設したリングを篏着する外周溝とし使用することを提案している。
【００１６】
そして、本発明において、カメラレンズ鏡筒前面にフィルター外周枠を螺着するための雄ネジ部分の防水機構は、カメラレンズ鏡筒前面にフィルター枠を螺着して、該カメラレンズ鏡筒先端部が当接するフィルター外周枠縁部に円型の取付溝を刻設し、該円型の取付溝内に熱可塑性のエラストマーの成形部材シールを嵌合して防水シール機構としている。
【発明の効果】
【００１７】
而して、本発明は、水密性の良いフィルター枠の防水機構を各種フィルター枠の防水機構として採用して設けることにより、該各種フィルター枠をデジタルカメラレンズ鏡筒前面に装着することにより湿気や水滴（水分）からカメラレンズの複合レンズ部や、ＣＣＤイメージセンサを保護することが可能なデジタルカメラにおけるフィルター枠の防水機構を提供することができた。
【図面の簡単な説明】
【００１８】
【図１】（Ａ）本発明を説明する組み立て図である。（Ｂ）本発明を説明する要部断面図である。
【図２】（A）本発明のレンズ押さえネジリングの形状を説明する要部拡大図である。（Ｂ）本発明の成形部材の形状を説明する要部拡大図である。（Ｃ）本発明の構成を説明する要部拡大図である。
【図３】（A）従来例を説明する組み立て図である。        （B）従来例を説明する要部断面図である。        （C）従来例を説明する要部拡大図である。
【発明を実施するための形態】
【００１９】
本発明は、デジタル１眼レフカメラに対応できるフィルター枠の防水機構に関するものであり、特に、本発明は、レンズ保護用のフィルターや光量調整フィルター、並びに特殊効果をもたらす光条効果用フィルターや被写体を柔らかく表現できるソフトフォーカス用フィルター等、各種フィルター枠の防水機構に関するものである。
【００２０】
デジタル１眼レフカメラのレンズは、複合レンズを採用しており、外気からの湿気や水分に対しては充分に注意しなくてはならない多重レンズ部分を有しており、また、該複合レンズに連繋して画像を電気信号に変換するCCDイメージセンサ等においても、湿気や水分に対しては充分すぎるほどの注意が必要であり、本発明は、各種フィルターを保持するフィルター枠に防水機構を施し、該フィルター枠からなるフィルターをレンズ鏡筒前に装着することによりレンズ鏡筒内部を外部からの湿気や水滴（水分）より保護するフィルター枠の防水機構を提供するものである。
【００２１】
斯くして、本発明は、フィルター外周枠とフィルターレンズ、並びにレンズ押さえネジリングからなる部品を組立てフィルターを製作するにあたり、前記フィルターレンズの外縁部には熱可塑性のエラストマーからなる成形部材を装着し、該熱可塑性のエラストマーからなる成形部材付フィルターレンズをフィルター外周枠のレンズ押さえ縁上に載置して、当該部分を加熱しながらレンズ押さえネジリングで前記熱可塑性のエラストマーからなる成形部材を塑性変形させ、該熱可塑性のエラストマーからなる成形部材を介してフィルターレンズをレンズ押さえ縁とレンズ押さえネジリング間に固着密閉することが好ましい。
【００２２】
本発明において、前記フィルターレンズの外縁部に設けられる熱可塑性のエラストマーからなる成形部材は、フィルターレンズの外縁部に篏合可能なコの字形状に成形された成形部材となし、該成形部材の外周部には断面半円形、或いは凸部形状の突起部を複数本成形加工したものを使用することにより、該突起部が外部から加圧、並びに加熱された際に容易に塑性変形可能に構成することが好ましい。
【００２３】
また、本発明における前記フィルター外周枠の外部側には、フィルターレンズの外縁部に設けられ熱可塑性のエラストマーからなる成形部材を加熱し、該成形部材を塑性可変するための加熱用凹部溝が刻設されており、該加熱用凹部溝にヒーターを取り付けることによりレンズ押さえ縁上に載置されレンズ押さえネジリングで加圧される熱可塑性のエラストマーからなる成形部材を任意に加熱塑性変形加工可能に構成することが好ましい。
【００２４】
更に、本発明において、前記フィルター外周枠の外部側に設けられる熱可塑性のエラストマー加熱用凹部溝部は、フィルター枠防水機構の製作完了後において、該加熱用凹部溝にカラー色のリングや品番やメーカー名、或いは機能識別符号を刻設したリングを篏着する外周溝とし使用することが好ましい。
【００２５】
そして、本発明において、カメラレンズ鏡筒前面にフィルター外周枠を螺着するための雄ネジ部分の防水機構は、カメラレンズ鏡筒前面にフィルター枠を螺着して、該カメラレンズ鏡筒先端部が当接するフィルター外周枠縁部に円型の取付溝を刻設し、該円型の取付溝内に熱可塑性のエラストマーの成形部材シールを嵌合固着して防水シール機構としていることが好ましい。
【００２６】
而して、前記成形部材として用いられる熱可塑性エラストマーは、プラスチック樹脂系の熱可塑性エラストマーを用いることが好ましく、特に前記円型の取付溝内に嵌合される熱可塑性のエラストマーの成形部材シールはプラスチック樹脂系の熱可塑性エラストマーを用いることにより滑性のある防水シール面が構成できる。
【実施例１】
【００２７】
図１（Ａ）は本発明の実施例１を説明する組み立て図、図１（Ｂ）は本発明の実施例１を説明する要部断面図である。また図２（A）は本発明に使用されるネジリングの拡大図、図２（B）はフィルターレンズ外縁部と該レンズ外縁部に装着されている成形部の形状を示す拡大図、図２（Ｃ）は本発明のフィルター外周部を示す拡大図である。
【００２８】
図１（Ａ）、（Ｂ）及び図２（Ａ）、（Ｂ）、（Ｃ）において、１はフィルター枠、２はフィルター枠１が形成するフィルター外周枠、３はフィルターレンズ、４はフィルターレンズ３の外縁部に装着された熱可塑性のエラストマーからなる成形部材、５はフィルターレンズ３の外縁部に装着された熱可塑性のエラストマーからなる成形部材、５はフィルターレンズ押さえネジリングであり、該フィルターレンズ押さえリング５は前記フィルター外周枠２の入射光側６の内側内径部７に設けられた他のアタッチメントを螺着するための雌ネジ８部に螺合可能である。そして、前記各種フィルターレンズを内蔵して保持するフィルター枠１を形成するフィルター外周枠２、該フィルター外周枠２の内側内径部７に設けられたフィルターレンズ押さえ縁９とレンズ押さえネジリング５、該フィルター押さえ縁９とレンズ押さえネジリング５間にて加圧保持されるフィルターレンズ３、該フィルターレンズ３の外縁部に装着され外側より加熱されて塑性変形が可能である断面形状がコの字形状の熱可塑性のエラストマーからなる成形部材４、該熱可塑性のエラストマーからなる成形部材４を介して前記フィルターレンズ３をフィルターレンズ押さえ縁９とレンズ押さえネジリング５間に加圧保持する構成を有し、フィルターレンズ３の外縁部に装着された熱可塑性のエラストマーからなる成形部材４をフィルター外周枠２の外側より加熱して塑性変形させるデジタルカメラにおけるフィルター枠の防水機構である。
【００２９】
また、前記フィルター外周枠２には、フィルターレンズ押さえ縁９やそのカメラレンズ側１０にはカメラレンズにフィルター外周枠２を螺着するための雄ネジ１１が螺設されていて雄ネジ外筒部１２を形成しており、更に前記フィルター外周枠２には外部側に熱可塑性のエラストマー加熱用凹部溝１３が設けられており、前記雄ネジ外筒部１２のカメラレンズ鏡筒先端部１４（図２（Ｃ）に示す）が当接する位置には円型の取付溝１５を刻設し、該円型の取付溝１５内には熱可塑性のエラストマーの成形部材シール１６を嵌合して防水シールとしている。
【００３０】
図２（Ａ）は本発明に使用されるフィルターレンズ押さえリング５を示すものであり、該フィルター押さえリング５の外部側にはリング用雄ネジ１７が螺設してあり。該リング用雄ネジ１７を有したフィルター押さえリング５は前記内側内径部７に設けられた雌ネジ８部にフィルターレンズ３、熱可塑性のエラストマーからなる成形部材４を挟持して、該熱可塑性のエラストマーからなる成形部材４をフィルターレンズ押さえ縁９間で加圧保持可能である。
【００３１】
図２（Ｂ）は本発明に使用される熱可塑性のエラストマーからなる成形部材４の形状を示すものであり、該成形部材４はフィルターレンズ３の外縁部に篏合可能なコの字形状に成形された成形部材４となし、該成形部材４の外周部には断面半円形、或いは凸部形状の突起部１８ａ、１８ｂ、１８ｃを複数本成形加工したものを使用しており、図２（Ａ）及び図２（Ｂ）にて説明したフィルター押さえリング５とフィルターレンズ３並びに熱可塑性のエラストマーからなる成形部材４を図２（Ｃ）に組み込んでフィルター枠の防水機構を製作する。
【００３２】
斯くして、本発明の実施例は、フィルター外周枠２とフィルターレンズ３、並びにレンズ押さえネジリング５からなる部品を組立てフィルターを製作するにあたり、前記フィルターレンズ３の外縁部には熱可塑性のエラストマーからなる成形部材４を装着し、該熱可塑性のエラストマーからなる成形部材４付のフィルターレンズ３をフィルター外周枠２のフィルターレンズ押さえ縁９上に載置して当該部分を加熱しながらレンズ押さえネジリング５で前記熱可塑性のエラストマーからなる成形部材４を塑性変形させ、該熱可塑性のエラストマーからなる成形部材４を介してフィルターレンズ３をフィルターレンズ押さえ縁９とレンズ押さえネジリング５間に固着してデジタルカメラにおけるフィルター枠１の防水機構部を製作する。
【００３３】
前記フィルルターレンズ３の外縁部に設けられる熱可塑性のエラストマーからなる成形部材４にはフィルターレンズ２の外縁部に篏合可能な断面形状がコの字形状（図１（Ａ）及び図２（Ｂ）に示す）に成形された成形部材４となし、該成形部材４の外周部には、図２（Ｂ）に示す如く熱可塑性のエラストマーからなる成形部材４の外周部で前記フィルターレンズ押さえ縁９とレンズ押さえネジリング５の対向面には断面半円形、或いは凸部形状の突起部１８ａ、１８ｂ、１８ｃを複数本成形加工したものを使用することにより、該突起部１８ａ、１８ｂ、１８ｃが外部から加圧、並びに加熱された際に容易に塑性変形可能に構成した。
【００３４】
また、前記フィルター外周部２の外部側にはフィルターレンズ３の外縁部に設けられ熱可塑性のエラストマーからなる成形部材４を加熱し、該成形部材４を塑性可変するための加熱用凹部溝１３が刻設されており、該加熱用凹部溝１３の底部は前記フィルター外周枠２に内蔵される熱可塑性のエラストマーからなる成形部材４に対して図１（Ｂ）、並びに図２（Ｃ）に示す如く可能な限り近接しており、該加熱用凹部溝１３にヒーターを取り付けることによりフィルターレンズ押さえ縁９上に載置されているフィルターレンズ２の成形部材４にフィルターレンズ押さえネジリング５で加圧しながら熱可塑性のエラストマーからなる成形部材４を加熱成形可能にしている。
【００３５】
また、本発明の実施例においては、前記フィルター外周枠２の外部側に設けられる熱可塑性のエラストマー加熱用凹部溝１３は、フィルター枠の製作完了後、該加熱用凹部溝１３にカラー色のリングや品番やメーカー名、或いは機能識別符号を刻設したリング部材１９を篏着する外周溝とし有効に使用することができる。
【００３６】
そして、前記フィルター外周枠２において、カメラレンズ鏡筒前面にフィルター外周枠２を螺着するための雄ネジ１１部分の防水機構は、カメラレンズ鏡筒前面にフィルター枠１を螺着して、該カメラレンズ鏡筒先端部１４が当接するフィルター外周枠縁部２０に円型の取付溝１５を刻設し、該円型の取付溝１５内に熱可塑性のエラストマーの成形部材シール１６を嵌合して防水シール機構としたことで、フィルター枠１の防水機構を完成することができた。
【００３７】
而して、本発明は、水密性の良いフィルター枠の防水機構を各種フィルター枠の防水機構として採用して構成し、該各種フィルター枠をデジタルカメラレンズ鏡筒前面に装着することにより湿気や水滴（水分）からカメラレンズの複合レンズ部や、ＣＣＤイメージセンサを保護することが可能なデジタルカメラにおけるフィルター枠の防水機構を提供することができた。
【符号の説明】
【００３８】
１  フィルター枠
２  フィルター外周枠
３  フィルターレンズ
４  熱可塑性のエラストマーからなる成形部材
５  フィルターレンズ押さえネジリング
６  入射光側
７  内側内径部
８  雄ネジ部
９  フィルターレンズ押さえ縁
１０  カメラレンズ側
１１  雄ネジ
１２  雄ネジ外筒部
１３  熱可塑性のエラストマー加熱用凹部溝
１４  カメラレンズ鏡筒先端部
１５  円型の取付溝
１６  成形部材のシール
１７  リング用雄ネジ
１８ａ、１８ｂ、１８ｃ  突起部
１９  リング部材
２０  フィルター外周枠縁部
【図１】
0005369145.tif 000002
【図２】
0005369145.tif 000003
【図３】
0005369145.tif 000004